(57)【特許請求の範囲】
【請求項１】
傾斜した表層（１）の下方に滑り面（２）が発生する恐れのある地滑り地帯の防護工法において、継ぎ目がなく且つ可撓性を有する長尺の管状部材（４）を用意し、その管状部材（４）の先端に地盤掘削用のビット（１４）を取り付け、前記傾斜した表層（１）の下方の低い部分（３）からその管状部材（４）を角度調整器（１０）および方向計測器（１２）で掘削方向を制御しつつ地盤内の予想される滑り面（２）に沿い掘削して挿入し、挿入した管状部材（４）を介して滑り面（２）に含まれる水分を前記低い部分（３）に集水し排出して地滑りの防護を行うことを特徴とする防護工法。
【発明の詳細な説明】
【０００１】
【発明の属する技術分野】
本発明は、軟弱地盤、特に地滑り地帯の防護工法に関するものである。より詳細には、その様な地盤中の地下水を集水して排出する防護工法に関する。
【０００２】
【従来の技術】
地滑り地帯において、地下水は傾斜面崩壊の重要な原因となっている。したがって地下水を排水することは、地滑り地帯の防護工法として、極めて有効な手法である。
従来の地滑り地帯の防護工法は、傾斜面の下端に立孔を掘削し、立孔の下方部分から側方に多数の横孔を掘削して、集水管を設置し、場合により外部に開口する排水管を設置し、ポンプによりまたは自噴により、滑り面付近の地下水を排水するのが普通の工法であった。
【０００３】
この従来の技術による工法では、まず立孔を掘削し、ついで多数の横孔を掘削する。すなわち、図２および３に示すように、表層１から立孔５を所要の深さまで（予想される滑り面２付近まで）掘削する。次いで立孔５の底部から周囲に複数の集水管または水抜孔６（場合によっては排水管または孔）を設置或いは穿孔する。
【０００４】
地層に含まれる地下水はそのヘッドＨにより、集水管または水抜孔６を通って立孔５に集まり、図示しないポンプ等により立孔５外へ排出され、或いは、図示しない排水溝を介して排水される。そして、この様な水抜きをすることにより、滑り面の発生を防止しようとしている。
【０００５】
【発明が解決しようとする課題】
しかし、上述した様に従来の工法では比較的深い立孔及び複数の横孔を掘削しなければならないので、その施工に多大な時間と労力とを要し、多額の経費がかかるという問題を有している。
【０００６】
本発明は上記した従来技術による防護工法の問題点に鑑みて提案されたものであり、立孔及び複数の横孔を掘削する事なく、傾斜面崩壊の原因となる地下水を排水出来る防護工法の提供を目的としている。
【０００７】
【課題を解決するための手段】
発明者は種々研究の結果、近年、油田の試掘等で使用されている所謂「コイルドチューブ（継目がなく且つ可撓性を有する材料で作られた長尺の管状部材）」に着目した。
【０００８】
本発明の防護工法によれば、傾斜した表層１の下方に滑り面２が発生する恐れのある地滑り地帯の防護工法において、継ぎ目がなく且つ可撓性を有する長尺の管状部材４を用意し、その管状部材４の先端に地盤掘削用のビット１４を取り付け、前記傾斜した表層１の下方の低い部分３からその管状部材４を角度調整器１０および方向計測器１２で掘削方向を制御しつつ地盤内の予想される滑り面２に沿い掘削して挿入し、挿入した管状部材４を介して滑り面２に含まれる水分を前記低い部分３に集水し排出して地滑りの防護を行うようになっている。
【００１０】
但、掘削用の管状部材と集水用の管状部材（側面に集水用の多数の孔が形成されている管状部材）とを別個に用意し、掘削用管状部材の先端に掘削ビットを設けて所定の地盤中を掘削した後に引き抜き、形成された掘削孔に、集水用の管状部材を挿入することも可能である。
【００１１】
また前記管状部材は、その側面に集水用の多数の孔が形成されているのが好ましい。管状部材が挿入された（或いは通過した）領域から確実に集水して、傾斜面崩壊を防止するためである。
【００１２】
ここで、前記低い部分には、浅い立孔或いは排水溝が形成されているのが好ましい。
【００１３】
上述した様な構成を具備する本発明によれば、継目がなく且つ可撓性を有する材料で作られた長尺の管状部材（例えば、所謂「コイルドチューブ」）を防護工法が行われるべき地盤内に圧送することにより、従来技術における立孔及び複数の横孔の掘削作業に代えることが出来る。ここで、コイルドチューブの地盤内への挿入（圧送）は、油田の試掘等で行われている様に極めて容易な作業であり、従来の立孔及び複数の横孔の掘削に比較して容易である。
【００１４】
そして、地盤内へ圧送されたコイルドチューブには、傾斜面表面からの深度に対応するヘッドが付加された地下水が流入し、その地下水はコイルドチューブを介して前記低い部分へ集水される。この低い部分に、例えば浅い立孔或いは排水溝を形成すれば、該立孔に排水用ポンプを備えることにより、或いは排水溝を排水施設まで連通させることにより、地下水を傾斜面の地下より除去することが出来るのである。
【００１５】
【発明の実施の形態】
以下、図１を参照して、本発明の実施の形態を説明する。
図１は本発明による工法を示す。表層１に水を溜める小さい孔３を掘削する。ついで孔３から、コイルドチューブ４を地下に押込んで滑り面２が発生する恐れのある地層に沿って前進させる。ここで、明確には図示されてはいないが、コイルドチューブ４の側面には集水用の複数の孔が形成されている。
【００１６】
図４に、前記コイルドチューブ４を地盤に挿入或いは圧入するための構成が例示されている。
コイルドチューブ４の先端には、角度調整器（ベントサブ）１０、方向計測器（ステアリングツール）１２と共に地盤掘削用ビット１４が取り付けられている。このビット１４はモータ１６により駆動され、地盤を掘削しつつ前進する。そして、コイルドチューブ４の内部には、角度調整器１０及び方向計測器１２の信号伝達用ラインＳＬ１、ＳＬ２と、モータ１６用の電力供給用ケーブルＳＬ３とが配線されている。
【００１７】
角度調整器１０及び方向計測器１２で掘削方向を制御しつつ、モータ１６で駆動することにより、地盤掘削用ビット１４は地盤中を所定方向（図４中、２点鎖線で示す経路Ｒ）に掘削・進行し、図１で示す様に挿入する。そして、挿入されたコイルドチューブ４内には、その側面に形成された孔を介して地下水が集水され、ヘッドＨ（図１）により、表層１の孔３を介して排水されるのである。
【００１８】
ここで、図４で示す地盤掘削用ビット１４を、側面に孔が形成されていないコイルドチューブに取り付け、図４の経路Ｒを掘削せしめ、その後、側面に孔を形成したコイルドチューブ４を挿入することも可能である。コイルドチューブ４、或いは管は、適当な手段によって、地盤中を所望の経路Ｒに沿って挿入される。ここで、管（コイルドチューブ）が弾性的である上、地層が比較的軟質であるため、該管を容易に地層内部に押し進めることができる。
【００１９】
コイルドチューブ或いは管が、側面に集水用の孔を形成したものでない場合には、地盤への挿入に際して、管の潰れを防止するため内部に水を充填しておくことも可能である。そして先端が所望の位置に達したとき、強い水圧を加えることにより先端の部材（内部の水の流出を防止する栓として機能する）を押出す。そこで水圧を抜くと、先端部から管内へ流入した地層内の地下水は、ヘッドＨによって自噴して孔３の中に溜るのである。
【００２０】
コイルドチューブ４を挿入した領域付近の地盤或いは層が含有する水が排出され、自噴が停止すると、コイルドチューブ４を滑り面２が形成される恐れのある地層に沿って徐々に下方に引き抜いてゆく。そして、十分に排水された地盤であれば、滑り面２が発生するのを防止することができるのである。
【００２１】
【発明の効果】
本発明によれば、継目がなくかつ弾性的材料で作られたコイルドチューブを地層に直接押込むことにより、立孔掘削の必要がなくなり、容易にかつ従来よりも著しく節約された費用で水抜きによる防護工法を施工することができる。
【図面の簡単な説明】
【図１】本発明の工法を説明する略縦断面図。
【図２】従来技術の工法を説明する略縦断面図。
【図３】従来技術の工法を説明する平面図。
【図４】コイルドチューブを地盤中に挿入する機構を示す側面図。
【符号の説明】
１・・・表層
２・・・含水層（滑り面）
３・・・小さい孔
４・・・コイルドチューブ
１０・・・角度調整器（ベントサブ）
１２・・・方向計測器（ステアリングツール）
１４・・・地盤掘削用ビット
１６・・・モータ
ＳＬ１・・・角度調整器の信号伝達用ライン
ＳＬ２・・・方向計測器の信号伝達用ライン
ＳＬ３・・・モータ用の電力供給用ケーブル
【図１】
0003717228.tif 000002
【図２】
0003717228.tif 000003
【図３】
0003717228.tif 000004
【図４】
0003717228.tif 000005